(57)【要約】【課題】測定対象の液体試料に帯電した静電気の振動周期への影響を除去することができる振動式密度測定方法及び測定対象の液体試料に帯電した静電気を放電することができる振動式密度計を提供する。【解決手段】試料導入チューブ８ａ、金属継ぎ手７ａ、セル導入配管６ａを通じてガラスセル１内に液体試料を導入するとともに、金属継ぎ手７ａまたは７ｂにアース線を接触させることにより、液体試料に帯電している静電気を放電させる。この後、永久磁石２に電磁力を作用させることによりガラスセル１を振動させ、測定したガラスセル１の振動周期から液体試料の密度を算出する。このように、測定対象の液体試料に帯電した静電気が放電されるので、静電気によってガラスセルの振動周期が変化することなく、正しい密度値を測定することができる。【選択図】図１
2011038810.tif 000002
【特許請求の範囲】
【請求項１】
被測定試料を収容したガラスセルの振動周期から被測定試料の密度を測定する振動式密度測定方法において、
測定対象の液体試料に帯電した静電気を放電させた後、被測定試料の密度を測定することを特徴とする振動式密度測定方法。
【請求項２】
被測定試料を収容したガラスセルの振動周期から被測定試料の密度を測定する振動式密度計において、
測定対象の液体試料に帯電した静電気を放電させる放電機構を備えたことを特徴とする振動式密度計。
【請求項３】
請求項２に記載した振動式密度計において、上記放電機構を、上記ガラスセルの配管と被測定試料の導入チューブ、及び／または、排出チューブとを接続する金属継ぎ手により構成したことを特徴とする振動式密度計。
【請求項４】
請求項２に記載した振動式密度計において、上記放電機構を、上記ガラスセルに取り付けられたアース電極により構成したことを特徴とする振動式密度計。
【請求項５】
請求項２に記載した振動式密度計において、上記放電機構を、上記ガラスセルに施したメッキコーティングにより構成したことを特徴とする振動式密度計。
【請求項６】
請求項２に記載した振動式密度計において、上記放電機構として、上記ガラスセルに被測定試料を導入、排出する導入チューブ、及び／または、試料排出チューブを金属チューブとしたことを特徴とする振動式密度計。
【請求項７】
請求項２に記載した振動式密度計において、上記放電機構として、上記ガラスセルに被測定試料を導入、排出する試料導入チューブ、及び／または、試料排出チューブを導電性素材の樹脂チューブとしたことを特徴とする振動式密度計。
【発明の詳細な説明】
【技術分野】
【０００１】
本発明は、振動式密度計に関し、特に、測定対象の液体試料に帯電する静電気の影響を除去する振動式密度計に関する。
【背景技術】
【０００２】
振動式密度計は被測定試料を収容した測定セルを振動させて、測定した固有振動周期から被測定試料の密度を演算、出力する装置であり、例えば清涼飲料の濃度管理等の各種流体の密度測定に利用されている。
【０００３】
この振動式密度計は、例えば、ガラス製のＵ字型測定セルを備え、このガラスセルの先端部に永久磁石を固定し、永久磁石に対向する位置に駆動コイルと検出部を内蔵した測定ヘッドを配置している。そして、被測定試料の密度測定時には、ガラスセルに被測定試料を導入するとともに、測定ヘッドの駆動コイルに駆動電流を流して永久磁石に電磁力を作用させることによりガラスセルを振動させ、検出部により検出したガラスセルの固有振動周期から被測定試料の密度を求めている（例えば、特許文献１参照）。
【０００４】
以下、固有振動周期から被測定試料の密度を算出する方法について説明する。
ガラスセルの固有振動周期をＴとし、被測定試料の密度をρとすると、ρは、
ρ＝ＰＴ２／４π２Ｖ−Ｍ／Ｖ・・・（１）
で求めることができる。ただし、上記のＰは振動系の振動定数、Ｖは被測定流体の体積（ガラスセルの容積）、Ｍはガラスセル及び永久磁石の質量である。
上記各Ｐ、Ｖ、Ｍはセンサ部の構造によって決定される定数であるから、Ｐ／４π２Ｖ＝Ｋ１、Ｍ／Ｖ＝Ｋ２とすると、
ρ＝Ｋ１Ｔ２ −Ｋ２・・・（２）
で表すことができる。
【０００５】
ここで、既知の密度をもつ２種類の物質、例えば純水（ρWATER）と空気（ρAIR）をガラスセルで測定した固有振動周期をＴwater、ＴAIRとすると、
ρWATER ＝Ｋ１ＴWATER２ −Ｋ２・・・（３）
ρAIR ＝Ｋ１ＴAIR2 −Ｋ２・・・（４）
であり、上記（３）、（４）式より定数Ｋ１、Ｋ２は、
Ｋ１＝（ρAIR−ρWATER）／（ＴAIR２−ＴWATER２）・・・（５）
Ｋ２＝ＴAIR２・（ρAIR−ρWATER）／（ＴAIR２−ＴWATER２）−ρAIR・・・（６）
となる。
【０００６】
上記（５）、（６）式より、（２）式は、
ρ＝ρAIR＋（ρAIR−ρWATER）＊（Ｔ２−ＴAIR２）／（ＴAIR２−ＴWATER２）・・・（７）
となり、純水と空気の設定温度での密度ρWATER及びρAIRは既知であるので、純水と空気を測定した振動周期ＴAIR、ＴWATER、被測定試料を測定した振動周期Ｔから被測定試料の密度ρを算出することができる。
【先行技術文献】
【特許文献】
【０００７】
【特許文献１】特開平６−５８８６２号公報
【発明の概要】
【発明が解決しようとする課題】
【０００８】
上記のようにして測定がおこなわれる振動式密度計のガラスセルの一方の開口端にはセル導入配管が接続され、他方の開口端にはセル出口配管が接続されている。このセル導入配管とセル出口配管は、継ぎ手を介してそれぞれ被測定試料を導入する試料導入チューブ及び測定の完了した被測定試料を排出する試料排出チューブに接続され、被測定試料の密度測定時には、試料導入チューブを介してガラスセルに被測定試料が導入される。
【０００９】
このように、ガラスセルのセル導入配管やセル出口配管は、試料変更時に試料を容易に交換できるように、継ぎ手を介して試料導入チューブと試料排出チューブに接続されるが、これらのセル導入配管、セル出口配管、試料導入チューブ、試料排出チューブ及び継ぎ手は、被測定試料に対し耐蝕性を備える必要があり、一般にはフッ素系樹脂、例えば、テフロン（登録商標）チューブ及びテフロン製継ぎ手が使用されている。
【００１０】
しかしながら、液体試料の変更時には、付着した液を除去するためにセル導入配管、セル出口配管を紙等で拭く必要があり、フッ素系樹脂はこのような接触摩擦で帯電しやすく、その電荷が測定対象の液体試料にも影響を及ぼし、その静電場のために振動周期が変化し、正しい密度測定ができないという問題があった。
【００１１】
本発明は、上記の課題を解決するために創案されたものであり、測定対象の液体試料に帯電した静電気の振動周期への影響を除去することができる振動式密度測定方法及び測定対象の液体試料に帯電した静電気を放電することができる振動式密度計を提供することを目的とする。
【課題を解決するための手段】
【００１２】
請求項１に係る発明の振動式密度測定方法は、被測定試料を収容したガラスセルの振動周期から被測定試料の密度を測定する振動式密度測定方法において、測定対象の液体試料に帯電した静電気を放電させた後、被測定試料の密度を測定することを特徴とする。
【００１３】
また、請求項２に係る発明の振動式密度計は、被測定試料を収容したガラスセルの振動周期から被測定試料の密度を測定する振動式密度計において、測定対象の液体試料に帯電した静電気を放電させる放電機構を備えたことを特徴とする。
【００１４】
さらに、請求項３に係る発明の振動式密度計は、請求項２に係る発明の振動式密度計において、上記放電機構を、上記ガラスセルの配管と被測定試料の導入チューブ、及び／または、排出チューブとを接続する金属継ぎ手により構成したことを特徴とし、
請求項４に係る発明の振動式密度計は、請求項２に係る発明の振動式密度計において、上記放電機構を、上記ガラスセルに取り付けられたアース電極により構成したことを特徴とする。
【００１５】
また、請求項５に係る発明の振動式密度計は、請求項２に係る発明の振動式密度計において、上記放電機構を、上記ガラスセルに施したメッキコーティングにより構成したことを特徴とし、
請求項６に係る発明の振動式密度計は、請求項２に係る発明の振動式密度計において、上記放電機構として、上記ガラスセルに被測定試料を導入、排出する導入チューブ、及び／または、試料排出チューブを金属チューブとしたことを特徴とする。
【００１６】
さらに、請求項７に係る発明の振動式密度計は、請求項２に係る発明の振動式密度計において、上記放電機構として、上記ガラスセルに被測定試料を導入、排出する試料導入チューブ、及び／または、試料排出チューブを導電性素材の樹脂チューブとしたことを特徴とする。
【発明の効果】
【００１７】
請求項１に係る発明の振動式密度測定方法によれば、測定対象の液体試料に帯電した静電気を放電させた後、液体試料の密度を測定するので、測定対象の液体試料が帯電状態となっていても、静電気が放電されるので、静電気によってガラスセルの振動周期が変化することなく、正しい密度値を測定することができる。
【００１８】
また、請求項２〜請求項７に係る発明の振動式密度計によれば、測定対象の液体試料に帯電した静電気を放電させる放電機構を備えているので、測定対象の液体試料に静電気が帯電しないようにすることができ、同様に、静電気によってガラスセルの振動周期が変化することなく、正しい密度値を測定することができる。
【図面の簡単な説明】
【００１９】
【図１】本発明の振動式密度計のセンサ部の構造を示す図である。
【図２】図１のセンサ部を取り付けた振動式密度計の概念図である。
【図３】静電気を放電させた場合の振動周期の時間変化を示す図である。
【図４】本発明の放電機構を備えたセンサ部の構造を示す図である。
【図５】本発明の放電機構を備えたセンサ部の他の実施例の構造を示す図である。
【図６】本発明の放電機構を備えたセンサ部の他の実施例の構造を示す図である。
【図７】本発明の放電機構を備えたセンサ部の他の実施例の構造を示す図である。
【図８】本発明の放電機構を備えたセンサ部の他の実施例の構造を示す図である。
【実施例１】
【００２０】
図１は本発明の振動式密度計のセンサ部の構造を示す図であり、このセンサ部は、ガラスセル１、永久磁石２、ホルダ３ａ、３ｂ、温度センサ４、ガラス製の外筒５、セル導入配管６ａ、セル出口配管６ｂにより構成されている。
ガラスセル１は、肉厚０．２ｍｍ程度のガラスで作成した細いＵ字管であり、その先端部には永久磁石の薄板２が接着剤により固着されている。また、このガラスセル１の基端部はホルダ３ａ、３ｂに固定され、このホルダ３ａ、３ｂは外筒５に固定されている。また、温度センサ４は、ガラス管の内部にサーミスタが挿入されたものであり、試料の温度を測定する。
【００２１】
また、ガラスセル１への試料の導入、排出を行うセル導入配管６ａ及びセル出口配管６ｂは、試料変更時に試料を容易に交換できるように、金属継ぎ手７ａ、７ｂを介して試料導入チューブ８ａ及び試料排出チューブ８ｂに接続される。そして、セル導入配管６ａ、セル出口配管６ｂ、試料導入チューブ８ａ、試料排出チューブ８ｂにはテフロンチューブが使用されており、金属継ぎ手７ａ、７ｂには、金属、例えば、ＳＵＳが使用されている。
【００２２】
一方、図２は図１のセンサ部を取り付けた振動式密度計の概念図であり、センサ部が断熱材１１の内部に収容されるとともに、ペルチェ素子（図示せず）を備えた銅ブロック１２がセンサ部、すなわち、ガラスセル１内の被測定試料の温度を設定温度に保つように制御される。また、ガラスセル１の先端部に固定された永久磁石２に対向する位置に、駆動コイル１３と、光により振動を検出する振動検出センサ１４を内蔵した測定ヘッド１５が配置されている。
また、図に示すように、温度センサ４のガラス管内には、サーミスタ１６が配置され、ガラスセル１の先端付近の温度を測定する。
【００２３】
制御装置１７は、制御部２１、駆動部２２、検出部２３、表示部２４及び記憶部２５を備え、制御部２１には上記サーミスタ１６の温度検出出力が入力され、サーミスタ１６の温度が測定設定温度となるように、銅ブロック１２のペルチェ素子を制御する。また、駆動部２２は測定ヘッド１５の駆動コイル１３に駆動電流を流し、検出部２３は測定ヘッド１５の振動検出センサ１４の出力を検出してガラスセル１の振動周期を検出する。さらに、制御部２１は、表示部２４に測定の設定画面や密度の測定値を表示するとともに、ユーザが設定した測定条件や検出した振動周期等を記憶部２５に記憶する。
【００２４】
次に、液体試料の密度測定時の作用について説明する。
測定にあたっては、まず試料導入チューブ８ａ、金属継ぎ手７ａ、セル導入配管６ａを通じてガラスセル１内に液体試料を導入するとともに、金属継ぎ手７ａまたは７ｂにアース線を接触させることにより、液体試料に帯電している静電気を放電させる。この後、制御装置１７の駆動部２２より測定ヘッド１５の駆動コイル１３に駆動電流を入力し、永久磁石２に電磁力を作用させることにより、ガラスセル１に振動を開始させる。
【００２５】
このときの振動を測定ヘッド１５の振動検出センサ１４が検出して検出信号を検出部２３に入力し、この振動周期に同期した駆動信号を引き続き、測定ヘッド１５の駆動コイル１３に入力することにより、ガラスセル１を一定の周期で振動させて固有振動周期を求め、測定した振動周期から液体試料の密度を算出する。
【００２６】
図３は振動周期の測定中に静電気を放電させた場合の振動周期の時間変化をプロットしたものであり、図３に示すように、測定開始後、０．１時間経過した時点で静電気を放電させることにより、それまで静電気によって変動していた振動周期の変化が発生せず、正しい密度値を測定するできることが理解できる。
【００２７】
なお、上記の実施例では、密度測定時に金属継ぎ手７ａまたは７ｂにアース線を接触させることにより、液体試料に帯電した静電気を放電させたが、図４に示すように、常時、金属継ぎ手７ａ、７ｂの一方、または両方をアースしておくことにより、測定対象の液体試料に静電気が帯電しても、放電させることができるので、静電気によってガラスセル１の振動周期が変化することなく、正しい密度値を測定することができる。
また、上記の実施例では、密度測定時に金属継ぎ手をアースすることにより液体試料の静電気を放電させたが、他の金属部分をアースしたり、液体試料自体にアースした金属を触れさせて液体試料の静電気を放電させることも可能である。
【実施例２】
【００２８】
上記の実施例では、継ぎ手を金属製とすることにより、液体試料に帯電した静電気を放電させるようにしたが、その他の構成により放電機構を構成することもでき、以下、他の放電機構の実施例について説明する。
【００２９】
図５は、放電機構としてガラスセルにアース電極を取り付けた実施例を示す図であり、図に示すように、ガラスセル１内部にホルダ３ａを貫通してアース電極３１が挿入されている。なお、アース電極３１としては、ガラスセル１にクラックが入らないように白金を使用することが望ましい。
これにより、上記と同様に、測定対象の液体試料に静電気が帯電しても、放電させることができるので、静電気によってガラスセルの振動周期が変化することなく、正しい密度値を測定することができる。
【００３０】
また、図６は、放電機構としてガラスセルにメッキコーティングを施したものであり、図に示すように、外筒５の端部の外周、及び、ガラスセル１の端部の内周面にメッキコーティング３２が施され、このメッキ部分がアースされている。
これにより、上記と同様に、測定対象の液体試料に静電気が帯電しても、放電させることができるので、静電気によってガラスセルの振動周期が変化することなく、正しい密度値を測定することができる。
【００３１】
さらに、図７は、放電機構として、ガラスセルに被測定試料を導入、排出する試料導入チューブ、試料排出チューブを金属配管としたものであり、図に示すように、試料導入チューブ８ａ、試料排出チューブ８ｂが金属配管３３によって構成されており、この金属配管３３の一方または両方がアースされている。
これにより、上記と同様に、測定対象の液体試料に静電気が帯電しても、放電させることができるので、静電気によってガラスセルの振動周期が変化することなく、正しい密度値を測定することができる。
【００３２】
また、図８は放電機構として、ガラスセルに被測定試料を導入、排出する試料導入チューブ、試料排出チューブを導電性素材の樹脂チューブとしたものであり、図に示すように、試料導入チューブ８ａ、試料排出チューブ８ｂが導電性樹脂チューブ３４によって構成されており、この導電性樹脂チューブ３４の一方または両方がアースされている。
これにより、上記と同様に、測定対象の液体試料に静電気が帯電しても、放電させることができるので、静電気によってガラスセルの振動周期が変化することなく、正しい密度値を測定することができる。
【００３３】
なお、図１、図４の実施例では、試料導入側、試料排出側の二つの継ぎ手の両方を金属継ぎ手としたが、試料導入側、または、試料排出側の一方のみ金属継ぎ手としてもよく、また、図７、図８の実施例では、試料導入チューブ、試料排出チューブの両方を金属配管または導電性樹脂チューブとしたが、試料導入チューブ、または、試料排出チューブの一方のみを金属配管または導電性樹脂チューブとしてもよい。
【００３４】
また、以上の実施例では、金属継ぎ手、アース電極、メッキコーティング、金属配管、あるいは、導電性チューブを接地したが、必ずしも接地する必要はなく、接地しなくとも、静電気を減らす効果を得ることができる。
【００３５】
さらに、以上の実施例では、測定セルの先端に取り付けた永久磁石に対向して配置される、駆動コイル及び光により振動を検出するセンサを有する測定ヘッドを備えた振動式密度計を例として説明したが、振動を検出コイルにより検出するタイプの振動式密度計等の他の振動式密度計にも、本発明の振動式密度測定方法及び振動式密度計を適用することができる。
【符号の説明】
【００３６】
１  ガラスセル
２  永久磁石
３ａ、３ｂ  ホルダ
４  温度センサ
５  外筒
６ａ  セル導入配管
６ｂ  セル出口配管
７ａ、７ｂ  金属継ぎ手
８ａ  試料導入チューブ
８ｂ  試料排出チューブ
１１  断熱材
１２  銅ブロック
１３  駆動コイル
１４  振動検出センサ
１５  測定ヘッド
１６  サーミスタ
１７  制御装置
２１  制御部
２２  駆動部
２３  検出部
２４  表示部
２５  記憶部
【図１】
2011038810.tif 000003
【図２】
2011038810.tif 000004
【図３】
2011038810.tif 000005
【図４】
2011038810.tif 000006
【図５】
2011038810.tif 000007
【図６】
2011038810.tif 000008
【図７】
2011038810.tif 000009
【図８】
2011038810.tif 000010